(57)【特許請求の範囲】
【請求項１】
指接触センサを備えた表示画面に各種情報を表示する情報表示装置であって、
前記表示画面内への指接触によって指示された指示位置を検出する検出手段と、
この検出手段によって検出された指示位置で決まる前記表示画面上の指示表示範囲内に、リンク先へのジャンプを指示するリンク指示情報の表示が含まれているか否かを判別する第１判別手段と、
この第１判別手段で前記指示表示範囲内に前記リンク指示情報の表示が含まれていると判別された場合に、前記指示表示範囲内のリンク指示情報の内容を当該指示表示範囲とは異なる表示位置に表示する指示情報表示手段と、
前記第１判別手段で前記指示表示範囲内に前記リンク指示情報の表示が含まれていると判別された際に、当該指示表示範囲内で前記リンク指示情報の表示が１つに特定されたか否かを判別する第２判別手段と、
この第２判別手段で前記リンク指示情報の表示が１つに特定されたと判別された際に、前記指示表示範囲内でリンク指示情報が一つに特定されたこと、そしてその特定されたリンク指示情報に基づくリンク先へのジャンプが可能であることを、前記表示画面に接触した指を介して体感できるように振動報知する報知手段と、
この報知手段による振動報知後において更なる所定指示操作が行われた際は、前記特定されたリンク指示情報に基づくリンク先へのジャンプを実行する実行手段と、
を具備したことを特徴とする情報表示装置。
【請求項２】
前記指示情報表示手段は、前記リンク指示情報を前記異なる表示位置に表示させる際に、当該リンク指示情報を拡大表示させる、
ようにしたことを特徴とする請求項１記載の情報表示装置。
【請求項３】
前記第１判別手段は、前記指示表示範囲内に前記リンク指示情報の表示が含まれていると判別された際に、当該表示範囲内に含まれるリンク指示情報は複数か否かを判別し、
この第１判別手段によって当該表示範囲内に含まれるリンク指示情報が複数であることが判別された際に、前記指示位置を基準にして前記表示画面の内容を拡大表示の表示画面に切り替える表示制御手段を更に備えた、ことを特徴とする請求項１記載の情報表示装置。
【請求項４】
前記第１判別手段によって前記指示表示範囲内に前記リンク指示情報の表示が含まれていないと判別された際に、前記指示表示範囲を前記指示位置を含んで拡大した拡大表示範囲に変更し、
前記第１判別手段は、その変更された拡大表示範囲内に前記リンク指示情報が含まれているか否かを判別する、
ようにしたことを特徴とする請求項１記載の情報表示装置。
【請求項５】
コンピュータに対して、
指接触センサを備えた表示画面内への指接触によって指示された指示位置を検出する機能と、
前記検出された指示位置で決まる前記表示画面上の指示表示範囲内に、リンク先へのジャンプを指示するリンク指示情報の表示が含まれているか否かを判別する機能と、
前記判別で前記指示表示範囲内に前記リンク指示情報の表示が含まれていると判別された場合に、前記指示表示範囲内のリンク指示情報の内容を当該指示表示範囲とは異なる表示位置に表示する機能と、
前記判別で前記指示表示範囲内に前記リンク指示情報の表示が含まれていると判別された際に、当該指示表示範囲内で前記リンク指示情報の表示が１つに特定されたか否かを判別する機能と、
前記判別で前記リンク指示情報の表示が１つに特定されたと判別された際に、前記指示表示範囲内でリンク指示情報が一つに特定されたこと、そしてその特定されたリンク指示情報に基づくリンク先へのジャンプが可能であることを、前記表示画面に接触した指を介して体感できるように振動報知する機能と、
この振動報知後において更なる所定指示操作が行われた際は、前記特定されたリンク指示情報に基づくリンク先へのジャンプを実行する機能と、
を実現させるためのプログラム。
【発明の詳細な説明】
【技術分野】
【０００１】
この発明は、指接触センサを備えた画面に各種情報を表示する情報表示装置及びプログラムに関する。
【背景技術】
【０００２】
一般に、情報表示装置において、各種リンクが張られたホームページなどを表示するブラウザ機能は、その表示されているホームページ上のリンク表示位置を指示することで、リンクジャンプができるようになっているが、その指示の仕方としては、画面上に表示されているマウスポインタ（カーソル）とマウスクリックを使って指示する方法、あるいはタッチパネルを有した画面上にあってはペンや指によって任意の表示位置を直接タッチすることで指示する方法がある。
【０００３】
ここで、マウスポインタを使って任意の位置を指示する場合には、リンク位置に来るとポインタ形状が変化するため、間違い無く指示できる状況にあるか否かをそのポインタ形状から容易に確認することができるが、タッチパネルの場合には指示位置自体が指で隠されてしまうため、その指示対象が見づらいばかりでなく、ポインタ形状の変化によるリンク位置の確認などもできず、リンク位置を正確にタッチできているのかどうかは極めて確認しづらいのが現状であった。
そこで、従来では、上述したように、指によってタッチする場合には微細な位置を指示することが困難となるため、タッチ位置の周辺を拡大表示するようにした技術が知られている（特許文献１参照）。
【特許文献１】特開２００５−５６２８６号公報
【発明の開示】
【発明が解決しようとする課題】
【０００４】
しかしながら、上述した先行技術では、拡大表示によって操作性は良くなるが、一部しか表示されないので全体の視認性が悪くなり、また、拡大表示を行ったとしてもタッチ位置自体が指で隠れてしまうと、リンク位置を正確にタッチしているかどうかを確認することができなくなる。
【０００５】
この発明の課題は、画面内への指接触操作で隠れてしまったリンク指示情報であっても、その表示位置を正確に指接触したか否かを確認できるようにすることである。
【課題を解決するための手段】
【０００６】
請求項１記載の発明は、指接触センサを備えた表示画面に各種情報を表示する情報表示装置であって、前記表示画面内への指接触によって指示された指示位置を検出する検出手段と、この検出手段によって検出された指示位置で決まる前記表示画面上の指示表示範囲内に、リンク先へのジャンプを指示するリンク指示情報の表示が含まれているか否かを判別する第１判別手段と、この第１判別手段で前記指示表示範囲内に前記リンク指示情報の表示が含まれていると判別された場合に、前記指示表示範囲内のリンク指示情報の内容を当該指示表示範囲とは異なる表示位置に表示する指示情報表示手段と、前記第１判別手段で前記指示表示範囲内に前記リンク指示情報の表示が含まれていると判別された際に、当該指示表示範囲内で前記リンク指示情報の表示が１つに特定されたか否かを判別する第２判別手段と、この第２判別手段で前記リンク指示情報の表示が１つに特定されたと判別された際に、前記指示表示範囲内でリンク指示情報が一つに特定されたこと、そしてその特定されたリンク指示情報に基づくリンク先へのジャンプが可能であることを、前記表示画面に接触した指を介して体感できるように振動報知する報知手段と、この報知手段による振動報知後において更なる所定指示操作が行われた際は、前記特定されたリンク指示情報に基づくリンク先へのジャンプを実行する実行手段と、を具備したことを特徴とする。
更に、コンピュータに対して、上述した請求項１記載の発明に示した主要機能を実現させるためのプログラムを提供する（請求項５記載の発明）。
に関する。
【発明の効果】
【００１３】
この発明によれば、画面内への指接触操作で隠れてしまったリンク指示情報であっても、その表示位置を正確に指接触したか否かを確認することができ、確実かつ迅速な指示操作が可能となる。
【発明を実施するための最良の形態】
【００１４】
以下、図１〜図７を参照して本発明の実施例を説明する。
この実施例は、情報表示装置として携帯電話装置に適用した場合を例示したもので、図１は、この携帯電話装置の基本的な構成要素を示したブロック図である。
この携帯電話装置は、例えば、２つの筐体（操作部筐体、表示部筐体）が開閉可能及び回転可能に取り付けられた２軸回転型の携帯電話装置であり、この携帯電話装置１には、通話機能（電話機能）、電子メール機能、インターネット接続機能（Ｗｅｂアクセス機能）、Ｗｅｂブラウザ機能などの各種の機能が備えられている。なお、Ｗｅｂブラウザ機能は、携帯向けのＷｅｂページのほか、ＰＣ（パーソナルコンピュータ）向けのＷｅｂページをも閲覧可能となっている。
【００１５】
ＣＰＵ１は、記憶部２内の各種のプログラムに応じてこの携帯電話装置の全体動作を制御する中核的な中央演算処理装置である。記憶部２は、内部メモリであり、プログラム領域とデータ領域とを有し、このプログラム領域には後述する図３及び図４に示す動作手順に応じて本実施例を実現するためのプログラムが格納されている。記録メディア３は、着脱自在な可搬型メモリで、例えば、ＳＤカード、ＩＣカードなどによって構成されている。メモリ４は、ワーク領域を有する内部メモリで、必要に応じてメモリ４内の各種のデータは、記憶部２にセーブされる。
【００１６】
電話通信部５は、無線部を構成するアンテナに接続された送受信部（ベースバンド部）の受信側から信号を取り込んで受信ベースバンド信号に復調したのち、音声制御部６を介して受話スピーカＳＰから音声出力させる。また、電話通信部５は、送話マイクＭＣからの入力音声を音声制御部６から取り込み、送信ベースバンド信号に符号化したのち、送受信部の送信側に与えてアンテナから発信出力させる。操作部７は、ダイヤル入力、文字入力、コマンド入力などを行うもので、ＣＰＵ１は、操作部７からのキー入力信号に応じた処理を実行する。
【００１７】
表示部８は、図示した部分拡大断面図のように、液晶、有機ＥＬなどを使用した高精細な画面Ｄを有し、その上面には操作用の指接触センサ（透明タッチセンサ）Ｔが積層配置されている。このように表示部８は、画面Ｄと透明タッチセンサＴとによって構成されたタッチスクリーン（タッチ表示部）であり、表示部とタッチ操作部として機能するもので、電子メール機能、インターネット接続機能によって電話通信部５を介して受信取得した表示データは、タッチ・表示制御部９を介して表示部８に与えられて表示出力される。タッチ・表示制御部９は、表示動作を制御するほかに、指接触の検出動作を制御するもので、画面Ｄ上のタッチセンサＴが指接触された際に、指接触有り信号と共にその接触状態を読み取ってＣＰＵ１に与える。
【００１８】
画面振動部１０は、圧電効果を利用して表示部８を構成する画面Ｄを振動させるもので、この画面Ｄに組み込まれている透明パネルなどの振動デバイス（図示せず）への電圧印加でそれを振動させる。なお、指で接触した部分だけを振動させたり、画面Ｄの略全域を振動させたり、その振動の仕方は任意である。報知部１１は、サウンドスピーカ１１Ａ、ＬＥＤ（発光ダイオード）１１Ｂなどを備えたもので、着信報知時に駆動されるほか、この実施例では、タッチセンサＴが指接触された際にその接触位置に応じた報知を行うようにしている。
【００１９】
図２は、Ｗｅｂブラウザ機能によってＰＣ向けのＷｅｂページを表示部８に表示させた状態を概念的に示した図である。このＷｅｂページは、通信事業者のトップページ（ホームページ）を例示したもので、この画面内にはリンク先ページへのジャンプを指示するリンク指示情報（リンク文字列）を含めて各種の情報が表示されているが、ＰＣ向けのＷｅｂページを携帯画面サイズに縮小表示した結果、その表示サイズは極端に小さくなり、リンク文字列を指で接触しようとしても、その指でリンク文字列が隠れてしまう。このように画面Ｄ上のタッチセンサＴを指接触する際に、このリンク文字列の表示位置がその指によって隠されてしまっても、そのリンク文字列を正確に接触したことが分かるように、ＣＰＵ１は、リンク文字列の表示位置が指接触された際に、当該リンク先へのジャンプが可能であることを画面振動などによって報知するようにしている。
【００２０】
次に、この実施例における携帯電話装置の動作概念を図３及び図４に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。なお、図３及び図４は、携帯電話装置の全体動作のうち、本実施例の特徴部分の動作概要を示したフローチャートであり、この図３及び図４のフローから抜けた際には、全体動作のフロー（図示省略）に戻る。
【００２１】
図３及び図４は、表示部８を構成する画面Ｄ上のタッチセンサＴが指接触された際に、タッチ・表示制御部９からの指接触有り信号に応じて実行開始される動作を示したフローチャートである。
先ず、ＣＰＵ１は、タッチ・表示制御部９によって読み取られた指の接触状態からその接触中心点を指の指示位置として検出すると共に（ステップＳ１）、この指示位置を基準（中心）とした所定範囲（例えば、半径３ｍｍの範囲）を指示範囲として特定する（ステップＳ２）。そして、この指示範囲とリンク文字列の表示位置とを比較することによって指示範囲内にリンク文字列の表示位置が含まれているか、つまり、リンク文字列の表示位置が指接触されたかを調べる（ステップＳ３）。
【００２２】
この指示範囲内にリンク文字列が含まれていなければ（ステップＳ３でＮＯ）、指示範囲を拡大済みであるかを調べる（ステップＳ４）。最初は拡大する前であるので、この指示範囲を拡大する処理に移り、接触中心点（指示位置）を基準とした所定範囲（例えば、半径５ｍｍの範囲）を拡大指示範囲として特定したのち（ステップＳ５）、ステップＳ３に戻る。このように指示範囲を拡大してもこの拡大指示範囲内にリンク文字列が含まれていなければ（ステップＳ３でＮＯ）、この時点では拡大済みであるので（ステップＳ４でＮＯ）、指示位置が移動されたか、つまり、前回の指示位置と今回の指示位置とを比較し、指を接触させながらスライド移動させたかを調べる（ステップＳ６）。いま、指示位置が移動していなければ、タッチセンサＴから指が離れたか（指接触が解除“ＯＦＦ”されたか）を調べる（ステップＳ７）。
【００２３】
いま、指接触が解除された場合には（ステップＳ７でＹＥＳ）、このフローから抜けて上述した全体フローに戻るが、指示位置の移動を検出したときには（ステップＳ６でＹＥＳ）、上述したステップＳ２に戻り、以下、指示範囲内にリンク文字列が含まれているかをチェックする。このような動作によって指示範囲内にリンク文字列が含まれるようになると（ステップＳ３でＹＥＳ）、画面振動部１０を所定時間（例えば、数秒間）駆動して、当該指示範囲を振動させたり、画面Ｄの略全域を振動させたりするほか、指示範囲内のリンク文字列を拡大して当該指示範囲とは異なる別の位置（別のエリア）に表示させることで、当該リンク先へのジャンプが可能であることを報知する（ステップＳ８）。
【００２４】
図５は、指示範囲内のリンク文字列（例えば、一部あるいは全部が操作指に隠れているリンク文字列）を拡大して、当該指示範囲とは異なる別の位置に表示させた場合の表示例を示した図である。なお、図示の例は、“メール”のリンク文字列の表示位置が接触された場合を例示したもので、操作指の上側左右のいずれかの領域に別画面（リンク文字列の拡大画面）が重ね合わせて表示される。なお、図中、太線で囲んだエリアがリンク文字列の拡大画面を示している。次に、ＣＰＵ１は、指示範囲内のリンク文字列は１つかを調べる（ステップＳ９）。ここで、指示範囲内のリンク文字列を１つに特定することができた場合には、ステップＳ１０に移り、画面振動部１０を所定時間（例えば、数秒間）駆動して、当該指示範囲を振動させたり、画面Ｄの略全域を振動させたりするほか、報知部１１を構成するＬＥＤ１１Ｂを点滅駆動させることによってリンク先へのジャンプが可能であることを報知する。
【００２５】
そして、接触中の操作指を固定したそのままの状態で他の指で画面Ｄ上の任意の位置を接触したり、操作部７上の所定ボタンを操作したりすると、次のステップＳ１１でマルチタップ有り（ダブルタップ有り）が検出されてステップＳ１２に移り、指示範囲内のリンク文字列で示されるリンク先へジャンプさせる。例えば、“メール”のリンク文字列の表示位置が接触された場合には、インターネット接続機能と共に電子メール機能が起動してメール画面を表示させる。また、接触中の操作指を離すと（指接触を解除“ＯＦＦ”すると）、そのことがステップＳ１３で検出されて上述の全体フローに移る。
【００２６】
一方、指示範囲内に複数のリンク文字列が存在している場合には（ステップＳ９でＮＯ）、図４のフローに移り、指示位置（接触中心点）を基準として画面Ｄの全体内容を１段階拡大表示させる（ステップＳ１４）。
図６は、指示範囲内に複数のリンク文字列が存在している場合に、画面の全体内容を拡大した場合の表示例を示した図である。なお、図示の例は、指示範囲内に複数のリンク文字列（スポーツ、ゲーム）が含まれていることによってその指示位置を基準として画面全体を拡大表示させた場合の表示例である。
【００２７】
このように画面全体を１段階拡大表示させたのち、上述と同様に、指示位置を基準（中心）とした所定範囲（例えば、半径３ｍｍの範囲）を指示範囲として特定する（ステップＳ１５）。そして、この指示範囲とリンク文字列の表示位置とを比較することによって指示範囲内にリンク文字列の表示位置が含まれているか、つまり、リンク文字列の表示位置が指接触されたかを調べる（ステップＳ１６）。
【００２８】
指示範囲内にリンク文字列が含まれていなければ（ステップＳ１６でＮＯ）、ステップＳ１７に移り、指示位置が移動したか、つまり、指を接触させながらスライド移動させたかを調べ、指示位置が移動していなければ、タッチセンサＴから指が離れたか（指接触が解除“ＯＦＦ”されたか）を調べる（ステップＳ１８）。いま、指接触が解除された場合には（ステップＳ１８でＹＥＳ）、画面全体の拡大表示を元の表示サイズに戻したのち（ステップＳ２５）、上述した全体フローに戻るが、指示位置が移動された場合には（ステップＳ１７でＹＥＳ）、上述したステップＳ１５に戻り、以下、上述の動作を繰り返し、指示範囲内にリンク文字列が含まれているかをチェックする。
【００２９】
このような動作によって指示範囲内にリンク文字列が含まれるようになれば（ステップＳ１６でＹＥＳ）、画面振動部１０を所定時間（例えば、数秒間）駆動して、当該指示範囲を振動させたり、画面Ｄの略全域を振動させたりするほか、指示範囲内のリンク文字列を拡大して当該指示範囲とは異なる別の位置（別のエリア）に表示させることで、当該リンク先へのジャンプが可能であることを報知する（ステップＳ１９）。図７は、指示範囲内のリンク文字列を拡大して当該指示範囲とは異なる別の位置に表示させた場合の表示例を示した図である。
【００３０】
次に、指示範囲内のリンク文字列は１つかを調べ（ステップＳ２０）、指示範囲内に複数のリンク文字列が存在していれば、指示位置を基準として画面全体を更に１段階拡大表示させたのち（ステップＳ１４）、以下、上述の動作を繰り返す。これによって指示範囲内のリンク文字列を１つに特定可能な場合には（ステップＳ２０でＹＥＳ）、次のステップＳ２１に移り、画面振動部１０を所定時間（例えば、数秒間）駆動して、当該指示範囲を振動させたり、画面Ｄの略全域を振動させたりするほか、報知部１１を構成するＬＥＤ１１Ｂを点滅駆動させることによってリンク先へのジャンプが可能であることを報知する。
【００３１】
ここで、接触中の操作指を固定したそのままの状態で他の指で画面Ｄ上の任意の位置を接触したり、操作部７上の所定ボタンを操作したりすると、次のステップＳ２２でマルチタップ有り（ダブルタップ有り）が検出されてステップＳ２３に移り、指示範囲内のリンク文字列で示されるリンク先へジャンプさせる。また、接触中の操作指を離すと（指接触を解除“ＯＦＦ”すると）、そのことがステップＳ２４で検出されてステップＳ２５に移り、画面全体の拡大表示を元の表示サイズに戻したのち、上述した全体フローに戻る。
【００３２】
以上のように、この実施例においてＣＰＵ１は、表示部８を構成する画面Ｄ上のタッチセンサＴが指接触された際に、リンク文字列の表示位置が指接触されたか否かを判別し、リンク文字列が接触された場合に、当該リンク先へのジャンプが可能であることを画面振動などによって報知するようにしたので、画面内への指接触操作で隠れてしまったリンク文字列であっても、その表示位置を正確に指接触したか否かを確認することができ、確実かつ迅速な指示操作が可能となる
【００３３】
画面振動による報知、リンク文字列を拡大して別の位置に表示する別エリア表示による報知、ＬＥＤ点滅による報知を行うようにしたので、リンク文字列に接触されたことを確実に知らせることができる。
【００３４】
指示範囲内にリンク文字列が含まれるようになれば、この指示範囲内のリンク文字列を当該指示範囲とは異なる別の位置（別のエリア）に表示させるようにしたので、リンク文字列が指接触操作で隠れていても、それを容易に確認することができる。この場合、リンク文字列を拡大して別の位置に表示するようにしたので、リンク文字列の表示が小さくても、それを容易に確認することができる。
【００３５】
リンク文字列の表示位置への指接触のほか、更なる所定操作が行われた際に当該リンク先へのジャンプを実行するようにしたので、リンク文字列の選択操作とその実行操作とを分けることができる。この場合、接触中の操作指を固定したそのままの状態で他の指で画面Ｄ上の任意の位置を接触したり、操作部７上の所定ボタンを操作したりすると、指示範囲内のリンク文字列で示されるリンク先へジャンプさせることができる。
【００３６】
指接触されたリンク指示情報は１つか否かを判別し、１つであれば、画面振動と共に、ＬＥＤ点滅によって当該リンク先へのジャンプが可能であることを報知するようにしたので、リンク指示情報を１つ特定された時点での報知が可能となる。
【００３７】
指接触されたリンク指示情報は複数か否かを判別し、複数であれば、接触中心点である指示位置を基準にして画面の内容を拡大表示させるようにしたので、拡大表示によって指接触されたリンク指示情報が１つになる可能性が高くなり、リンク指示情報を１つに特定し易くなる。この場合、拡大表示後において指接触が解除された際に、画面の内容を元の表示サイズに復帰させることができる。
【００３８】
指示位置を基準（中心）とした所定範囲（例えば、半径３ｍｍの範囲）を指示範囲とし、この指示範囲内にリンク文字列が含まれていなければ、指示位置を基準とした所定範囲（例えば、半径５ｍｍの範囲）を拡大指示範囲として特定し、この拡大指示範囲内にリンク文字列が含まれているか否かを判別するようにしたから、リンク指示情報を特定し易くなる。
【００３９】
なお、上述した実施例においては、画面振動による報知、リンク文字列を拡大して別の位置に表示する別エリア表示による報知、ＬＥＤ点滅による報知を例示したが、携帯電話装置の筐体を振動させるようにしてもよく、また、画面状態（例えば、表示色、輝度などの変化）による報知、音による報知であってもよい。また、これらを２以上組み合わせて報知するようにしてもよい。
【００４０】
上述した実施例においては、接触中の操作指を固定したそのままの状態で他の指で画面Ｄ上の任意の位置を接触したり、操作部７上の所定ボタンを操作したりすると、つまり、マルチタップ（ダブルタップ）操作を行うと、指示範囲内のリンク文字列で示されるリンク先へのジャンプを実行するようにしたが、リンク文字列を接触している操作指を離したのち、そのリンク文字列を再度指接触された際に、当該リンク先へのジャンプを実行するようにしてもよい。これによって操作性を向上させることができる。
【００４１】
また、上述した実施例においては、Ｗｅｂブラウザ機能によってＰＣ向けのＷｅｂページを閲覧する場合を例示したが、携帯用のＷｅｂページを閲覧する場合であってもよく、また、ファイル内容をページ単位で閲覧する場合であってもよい。すなわち、リンク文字列は、Ｗｅｂページをリンク指定する場合に限らず、ファイルなどのデータページをリンク指定するようにしてもよい。
その他、携帯電話装置に限らず、ＰＤＡなどの携帯端末装置あるいはＰＣなどの情報表示装置であっても同様に適用可能である。
【図面の簡単な説明】
【００４２】
【図１】情報表示装置として適用した携帯電話装置の基本的な構成要素を示したブロック図。
【図２】Ｗｅｂブラウザ機能によってＰＣ向けのＷｅｂページを表示部８に表示させた状態を概念的に示した図。
【図３】表示部８を構成する画面Ｄ上のタッチセンサＴが指接触された際に、タッチ・表示制御部９からの指接触有り信号に応じて実行開始される動作を示したフローチャート。
【図４】図３に続く、フローチャート。
【図５】指示範囲内のリンク文字列（例えば、一部あるいは全部が操作指によって隠れているリンク文字列）を拡大して当該指示範囲とは異なる別の位置に表示させた場合の表示例を示した図。
【図６】指示範囲内に複数のリンク文字列が存在している場合に、画面の全体内容を拡大した場合の表示例を示した図。
【図７】指示範囲内のリンク文字列を拡大して当該指示範囲とは異なる別の位置に表示させた場合の表示例を示した図。
【符号の説明】
【００４３】
１  ＣＰＵ
２  記憶部
５  電話通信部
７  操作部
８  表示部
９  タッチ・表示制御部
１０  画面振動部
１１  報知部
１１Ａ  サウンドスピー
１１Ｂ  ＬＥＤ
Ｄ  画面
Ｔ  透明タッチセンサ
【図１】
0004450038.tif 000002
【図２】
0004450038.tif 000003
【図３】
0004450038.tif 000004
【図４】
0004450038.tif 000005
【図５】
0004450038.tif 000006
【図６】
0004450038.tif 000007
【図７】
0004450038.tif 000008